【手続補正書】
【提出日】平成18年2月27日(2006.2.27)
【手続補正１】
【補正対象書類名】明細書
【補正対象項目名】特許請求の範囲
【補正方法】変更
【補正の内容】
【特許請求の範囲】
【請求項１】  インクを吐出する吐出口と、この吐出口に連通するインク流路と、駆動信号を印加することにより前記インク流路内のインクを加熱して気泡を発生させるための発熱体とを具えたインクジェット記録ヘッドを用い、前記気泡の発生に基づいて前記吐出口からインクを吐出するインクジェット記録ヘッドの駆動方法において、
前記駆動信号は、前記発熱体の表面温度を沸点温度以上まで加熱する第１駆動信号であって発泡エネルギーをインクに蓄えるための当該第１駆動信号と、インクに気泡を発生させるための第２駆動信号と、を有し、
前記第２駆動信号の印加開始から気泡を発生するまでの時刻をｔ＝δｔ、前記第１駆動信号を印加せずに第２駆動信号のみで気泡を発生させた場合に発泡エネルギーが減少する境界発泡時間をｔ＝ｔｓとすると、δｔ、ｔｓが
δｔ＜ｔｓ
の関係を満たすと共に、前記第１駆動信号の印加を開始した時刻から前記第２駆動信号を開始するまでの時刻の差である第１駆動信号の印加時間をｔ１、第２駆動信号の印加時間を（ｔ２−ｔ１）、駆動信号による発熱体の発熱量をＱ（ｔ）とするとき、ｔ１、ｔ２、Ｑ（ｔ）が
【外１】
2000246899.tif 000001
を満たす駆動信号を前記発熱体に印加することで気泡を発生させることを特徴とするインクジェット記録ヘッドの駆動方法。
【請求項２】  発熱体に駆動信号を印加することで熱を発生させ、この熱をインクに与えてインクに気泡を発生させて吐出口からインクを吐出するインクジェット記録ヘッドの駆動方法において、
前記駆動信号は、前記発熱体の表面温度を沸点温度以上まで加熱する第１駆動信号であって発泡エネルギーをインクに蓄えるための当該第１駆動信号と、インクに気泡を発生させるための第２駆動信号と、を有し、
第２駆動信号のみで発泡を行った場合に発泡エネルギーが減少する境界発泡時間ｔｓより短い信号時間の第２駆動信号を用いると共に、前記第２駆動信号に先立って前記発泡エネルギーの減少分を補うための前記第１駆動信号を印加することを特徴とするインクジェット記録ヘッドの駆動方法。
【請求項３】  前記第２駆動信号にて気泡を発生する時刻をｔ＝δｔこの時の温度上昇率をｄＴ（δｔ）、前記第１駆動信号を印加せずに第２駆動信号のみで気泡を発生させた場合に発泡エネルギーが減少する境界発泡時間をｔ＝ｔｓとし、この時の温度上昇率をｄＴ（ｔｓ）とすると、各温度上昇率が
ｄＴ（δｔ）＞ｄＴ（ｔｓ）
を満たす請求項１に記載のインクジェット記録ヘッドの駆動方法。
【請求項４】  前記第１駆動信号は前記発熱体から熱を受けるインクの過熱インク層の厚さを厚くするための信号である請求項１もしくは請求項２に記載のインクジェット記録ヘッドの駆動方法。
【請求項５】  前記第２駆動信号の印加開始から気泡を発生するまでの時刻をｔ＝δｔ、前記第２駆動信号にて気泡を発生する時刻をｔ＝δｔ、前記第１駆動信号を印加せずに第２駆動信号のみで気泡を発生させた場合に発泡エネルギーが減少する境界発泡時間をｔ＝ｔｓとし、インクの沸点をＴｂ、発泡温度をＴｇ、第１駆動信号を印加する前のインクの温度をＴａｍｂとした場合、δｔが
【外２】
2000246899.tif 000002
を満たす請求項１もしくは２に記載のインクジェット記録ヘッドの駆動方法。
【請求項６】  第１駆動信号を印加せずに第２駆動信号のみで形成された気泡の発泡エネルギーＪ１と、第１駆動信号と第２駆動信号により形成された気泡の発泡エネルギーＪ０との比Ｊ１／Ｊ０が
Ｊ１／Ｊ０×１００≦５０（％）
を満たす請求項１に記載のインクジェット記録ヘッドの駆動方法。
【請求項７】  前記第２駆動信号の発熱体の発熱量が、第１駆動信号を印加せずに第２駆動信号のみで気泡を発生させた場合に発泡エネルギーが減少する境界発泡時間ｔ＝ｔｓでの発熱体の発熱量に比べて、同等もしくはそれ以上である請求項１もしくは請求項２に記載のインクジェット記録ヘッドの駆動方法。
【請求項８】  前記ｔｓが、気泡の寿命が低下する時の境界発泡時間であることを特徴とする請求項１もしくは請求項２に記載のインクジェット記録ヘッドの駆動方法。
【請求項９】  前記ｔｓが、吐出速度が低下する時の境界発泡時間である請求項１もしくは２に記載のインクジェット記録ヘッドの駆動方法。
【請求項１０】  前記第１駆動信号と前記第２の駆動信号とは連続した信号である請求項１もしくは請求項２に記載のインクジェット記録ヘッドの駆動方法。
【請求項１１】  前記第１の駆動信号と前記第２の駆動信号とは休止時間を挟んでいる請求項１もしくは請求項２のインクジェット記録ヘッドの駆動方法。
【請求項１２】  第１駆動信号が複数パルスからなり、パルス間の休止時間が次第に長くなされている請求項１１に記載のインクジェット記録ヘッドの駆動方法。
【手続補正２】
【補正対象書類名】明細書
【補正対象項目名】００１７
【補正方法】変更
【補正の内容】
【００１７】
【課題を解決するための手段】
このような目的を達成する本発明のインクジェット記録ヘッドの駆動方法は、インクを吐出する吐出口と、この吐出口に連通するインク流路と、駆動信号を印加することにより前記インク流路内のインクを加熱して気泡を発生させるための発熱体とを具えたインクジェット記録ヘッドを用い、前記気泡の発生に基づいて前記吐出口からインクを吐出するインクジェット記録ヘッドの駆動方法において、前記駆動信号は、前記発熱体の表面温度を沸点温度以上まで加熱する第１駆動信号であって発泡エネルギーをインクに蓄えるための当該第１駆動信号と、インクに気泡を発生させるための第２駆動信号と、を有し、前記第２駆動信号の印加開始から気泡を発生するまでの時刻をｔ＝δｔ、前記第１駆動信号を印加せずに第２駆動信号のみで気泡を発生させた場合に発泡エネルギーが減少する境界発泡時間をｔ＝ｔｓとすると、δｔ、ｔｓが
δｔ＜ｔｓ
の関係を満たすと共に、前記第１駆動信号の印加を開始した時刻から前記第２駆動信号を開始するまでの時刻の差である第１駆動信号の印加時間をｔ１、第２駆動信号の印加時間を（ｔ２−ｔ１）、駆動信号による発熱体の発熱量をＱ（ｔ）とするとき、ｔ１、ｔ２、Ｑ（ｔ）が
【手続補正３】
【補正対象書類名】明細書
【補正対象項目名】００１９
【補正方法】変更
【補正の内容】
【００１９】
もしくは、発熱体に駆動信号を印加することで熱を発生させ、この熱をインクに与えてインクに気泡を発生させて吐出口からインクを吐出するインクジェット記録ヘッドの駆動方法において、前記駆動信号は、前記発熱体の表面温度を沸点温度以上まで加熱する第１駆動信号であって発泡エネルギーをインクに蓄えるための当該第１駆動信号と、インクに気泡を発生させるための第２駆動信号と、を有し、第２駆動信号のみで発泡を行った場合に発泡エネルギーが減少する境界発泡時間ｔｓより短い信号時間の第２駆動信号を用いると共に、前記第２駆動信号に先立って前記発泡エネルギーの減少分を補うための前記第１駆動信号を印加することを特徴とするインクジェット記録ヘッドの駆動方法である。
【手続補正４】
【補正対象書類名】明細書
【補正対象項目名】００３２
【補正方法】変更
【補正の内容】
【００３２】
本発明のインクジェット記録装置は、インクを吐出する吐出口と、この吐出口に連通するインク流路と、駆動信号を印加することにより前記インク流路のインクを加熱して気泡を発生させるための発熱体とを具えたインクジェット記録ヘッドを用い、該気泡の発生に基づいて前記吐出口からインクを吐出して記録を行うインクジェット記録装置において、前記発熱体の表面温度を沸点温度以上まで加熱する第１駆動信号であって発泡エネルギーをインクに蓄えるための当該第１駆動信号と、インクに発泡を生じさせるための第２駆動信号と、を有し、前記第２駆動信号の印加開始から発泡を生じるまでの時刻をｔ＝δｔ、前記第１駆動信号を印加せずに第２駆動信号のみで発泡を行った場合に発泡エネルギーが減少する境界発泡時間をｔ＝ｔｓとすると、δｔ、ｔｓが
δｔ＜ｔｓ
の関係を満たすと共に、前記第１駆動信号の印加を開始した時刻から前記第２駆動信号を開始するまでの時刻の差である第１駆動信号の印加時間をｔ１、第２駆動信号の印加時間を（ｔ２−ｔ１）、駆動信号による発熱体の発熱量をＱ（ｔ）とするとき、ｔ１、ｔ２、Ｑ（ｔ）が
【手続補正５】
【補正対象書類名】明細書
【補正対象項目名】００３４
【補正方法】変更
【補正の内容】
【００３４】
もしくは、発熱体に駆動信号を印加することで熱を発生させ、この熱をインクに与えてインク中に気泡を発生させて吐出口からインクを吐出するインクジェット記録装置において、前記発熱体の表面温度を沸点温度以上まで加熱する第１駆動信号であって発泡エネルギーをインクに蓄えるための当該第１駆動信号と、インクに気泡を発生させるための第２駆動信号と、を有し、前記第２駆動信号は第２駆動信号のみで気泡を発生させた場合に発泡エネルギーが減少する境界発泡時間ｔｓより短い信号時間の信号であり、第１駆動信号は前記第２駆動信号に先立って前記発泡エネルギーの減少分を補うために与えられる信号である前記駆動信号を、前記発熱体に印加する信号供給手段を有することを特徴とするインクジェット記録装置である。